(57)【要約】【課題】検索連動型広告において、掲載順が下位の広告についてユーザの目に留まる可能性が減少する。【解決手段】ユーザごとに少なくとも通知アドレスが記憶されたユーザ記憶手段と、広告ごとに少なくとも入札キーワードと広告成績指標値が記憶された広告記憶手段と、ユーザによりユーザ端末に入力された検索キーワードに対応した入札キーワードが関連付けられた広告を広告成績指標値に基づき選出して、ユーザ端末に表示される検索キーワードの検索結果ページに付加するために配信する広告配信手段と、広告配信手段で選出されなかった広告または／および選出されたが広告掲載順位が所定の順位に入らなかった広告を落選広告として取得する落選広告取得手段と、落選広告から通知対象とする落選広告を抽出する落選広告抽出手段と、抽出した落選広告をユーザに関連付けられた通知アドレスに通知する落選広告通知手段と、を有する。【選択図】図１
2012063803.tif 000002
【特許請求の範囲】
【請求項１】
ユーザごとに少なくとも通知アドレスが関連付けられて記憶されたユーザ記憶手段と、
広告ごとに少なくとも入札キーワードと広告成績指標値がそれぞれ関連付けられて記憶された広告記憶手段と、
ユーザによりユーザ端末に入力された検索キーワードに対応した入札キーワードが関連付けられた広告を前記広告成績指標値に基づき選出して、前記ユーザ端末に表示される前記検索キーワードの検索結果ページに付加するために配信する広告配信手段と、
前記広告配信手段で選出されなかった広告または／および選出されたが広告掲載順位が所定の順位に入らなかった広告を落選広告として取得する落選広告取得手段と、
前記落選広告から通知対象とする落選広告を抽出する落選広告抽出手段と、
抽出した前記落選広告を前記ユーザに関連付けられた通知アドレスに通知する落選広告通知手段と、を有することを特徴とする広告配信装置。
【請求項２】
前記落選広告抽出手段は、前記落選広告に関連付けられて記憶された前記広告成績指標値に基づき所定数の落選広告を抽出することを特徴とする請求項１に記載の広告配信装置。
【請求項３】
ユーザによりユーザ端末に入力された検索キーワードを取得する検索キーワード取得手段と、当該検索キーワード取得手段により取得した検索キーワードの取得回数を記憶するログ記憶手段を更に有し、
前記落選広告抽出手段は、前記広告成績指標値に加えて、ログ記憶手段から取得した取得回数に基づき所定数の落選広告を抽出することを特徴とする請求項２に記載の広告配信装置。
【請求項４】
前記通知アドレスは前記ユーザ端末とは異なる携帯情報端末のメールアドレスであることを特徴とする請求項１から３のいずれかに記載の広告配信装置。
【請求項５】
ユーザごとに少なくとも通知アドレスが関連付けられて記憶されたユーザ記憶手段と、
広告ごとに少なくとも入札キーワードと広告成績指標値がそれぞれ関連付けられて記憶された広告記憶手段と、を備えたコンピュータが、
ユーザによりユーザ端末に入力された検索キーワードに対応した入札キーワードが関連付けられた広告を前記広告成績指標値に基づき選出して、前記ユーザ端末に表示される前記検索キーワードの検索結果ページに付加するために配信する広告配信ステップと、
前記広告配信ステップで選出されなかった広告または／および選出されたが広告掲載順位が所定の順位に入らなかった広告を落選広告として取得する落選広告取得ステップと、
前記落選広告から通知対象とする落選広告を抽出する落選広告抽出ステップと、
抽出した前記落選広告を前記ユーザに関連付けられた通知アドレスに通知する落選広告通知ステップと、を実行することを特徴とする広告配信方法。
【発明の詳細な説明】
【技術分野】
【０００１】
本発明は、広告を配信する技術に関するものである。
【背景技術】
【０００２】
近年、インターネット上での広告サービスとして検索連動型広告が普及している。検索連動型広告とは、主にユーザが検索サイトで検索した検索キーワードに関する検索結果ページの検索結果と共に掲載される、検索キーワードに連動（関連）する広告である。検索連動型広告はユーザの情報検索要求にマッチした広告を配信することができるため、効率よく見込み客を集客できるといわれている。
【０００３】
たとえば、下記特許文献１には、広告を関連づけたい検索キーワードに対して広告主が予め入札をしておけば、検索が実行された際に、その検索キーワードに一致するキーワードに入札した広告主の広告をその入札額に応じた順序で掲載し、広告がクリックされるたびに、入札額分の広告料を広告主に請求する検索エンジン装置が開示されている。
【先行技術文献】
【特許文献】
【０００４】
【特許文献１】特許第３６７６９９９号
【発明の概要】
【発明が解決しようとする課題】
【０００５】
しかし、上述の先行技術のような検索連動型広告は、検索結果ページのみに広告を掲載するため、その掲載面が限られており、入稿されている広告のうち一部を選出して掲載する必要がある。また、たとえ広告掲載順位に応じた上位相当数（全数を含む）を表示するようにしても、検索結果ページの１ページ当たりに掲載できる広告の数は限られるため、広告掲載が複数の検索結果ページにわたり、下位ページに進むにつれてユーザの目に留まる可能性が減少する。
【０００６】
したがって従来の検索連動型広告では、ユーザにとって検索連動型広告は情報検索要求にマッチしており有用な情報であるにもかかわらずその一部しか目にすることができないという問題がある。また、広告主にとっても自らの商品について興味のある可能性の高いユーザに対して必ずしも広告を露出させることができないという問題があった。
【０００７】
そこで本発明の目的は、検索連動型広告において、選出されなかった広告または／および選出されたが広告掲載順位が所定の順位に入らなかった広告についても、ユーザの目に留まるようにすることである。
【課題を解決するための手段】
【０００８】
本発明の広告配信装置は、ユーザごとに少なくとも通知アドレスが関連付けられて記憶されたユーザ記憶手段と、広告ごとに少なくとも入札キーワードと広告成績指標値がそれぞれ関連付けられて記憶された広告記憶手段と、ユーザによりユーザ端末に入力された検索キーワードに対応した入札キーワードが関連付けられた広告を前記広告成績指標値に基づき選出して、前記ユーザ端末に表示される前記検索キーワードの検索結果ページに付加するために配信する広告配信手段と、前記広告配信手段で選出されなかった広告または／および選出されたが広告掲載順位が所定の順位に入らなかった広告を落選広告として取得する落選広告取得手段と、前記落選広告から通知対象とする落選広告を抽出する落選広告抽出手段と、抽出した前記落選広告を前記ユーザに関連付けられた通知アドレスに通知する落選広告通知手段と、を有することを特徴とする。
【０００９】
また、本発明の広告配信方法は、ユーザごとに少なくとも通知アドレスが関連付けられて記憶されたユーザ記憶手段と、広告ごとに少なくとも入札キーワードと広告成績指標値がそれぞれ関連付けられて記憶された広告記憶手段と、を備えたコンピュータが、ユーザによりユーザ端末に入力された検索キーワードに対応した入札キーワードが関連付けられた広告を前記広告成績指標値に基づき選出して、前記ユーザ端末に表示される前記検索キーワードの検索結果ページに付加するために配信する広告配信ステップと、前記広告配信ステップで選出されなかった広告または／および選出されたが広告掲載順位が所定の順位に入らなかった広告を落選広告として取得する落選広告取得ステップと、前記落選広告から通知対象とする落選広告を抽出する落選広告抽出ステップと、抽出した前記落選広告を前記ユーザに関連付けられた通知アドレスに通知する落選広告通知ステップと、を実行することを特徴とする。
【００１０】
このように、本発明の広告配信装置および方法では、広告配信手段で選出されなかった広告または／および選出されたが広告掲載順位が所定の順位に入らなかった広告を落選広告として抽出し、ユーザに関連付けられた通知アドレスに当該落選広告を通知するため、上位の検索結果ページに掲載されることがない広告についても、検索結果ページの掲載面に限りがあることについて縛られることなく、ユーザの目に留まる機会を新たに創出することができる。
【００１１】
また、本発明の広告配信装置は、前記落選広告抽出手段は、前記落選広告に関連付けられて記憶された前記広告成績指標値に基づき所定数の落選広告を抽出することを特徴とする。
【００１２】
このように、本発明の広告配信装置では、落選広告抽出手段が、落選広告に関連付けられて記憶された広告成績指標値に基づき所定数の落選広告を抽出するため、落選広告の中でも、広告掲載順位に従って通知する落選広告の優先順位を決定することができる。
【００１３】
また、本発明の広告配信装置は、ユーザによりユーザ端末に入力された検索キーワードを取得する検索キーワード取得手段と、当該検索キーワード取得手段により取得した検索キーワードの取得回数を記憶するログ記憶手段を更に有し、前記落選広告抽出手段は、前記広告成績指標値に加えて、ログ記憶手段から取得した取得回数に基づき所定数の落選広告を抽出することを特徴とする。
【００１４】
このように、本発明の広告配信装置では、落選広告の抽出に、広告成績指標値に加えてログ記憶手段から取得した取得回数を用いるため、ユーザの検索キーワードの入力状況を反映したバランスのよい指標に基づいて落選広告の優先順位を決定することができる。
【００１５】
また、本発明の広告配信装置は、前記通知アドレスは前記ユーザ端末とは異なる携帯情報端末のメールアドレスであることを特徴とする。
【００１６】
このように、本発明の広告配信装置では、通知アドレスはユーザ端末とは異なる携帯情報端末のメールアドレスであるため、ユーザが例えばノートパソコンで検索サーバにアクセスして検索キーワードを入力した場合、当該検索キーワードに関連した落選広告が携帯電話のメール宛に通知されるので、例えばノートパソコンにインストールされているメールソフトを立ち上げたりしてウェブ検索を中断することなく、携帯電話のメールにて落選広告を閲覧できるため利便性がよく、ユーザの目に留まる可能性が高くなる。
【００１７】
なお、上記の各態様に対応するプログラムといった他のカテゴリや、以下に説明するさらに具体的な各態様も、本発明に含まれる。
【発明の効果】
【００１８】
以上のように、本発明によれば、検索連動型広告において、選出されなかった広告または／および選出されたが広告掲載順位が所定の順位に入らなかった広告についても、検索結果ページの掲載面に限りがあることについて縛られることなく、ユーザの目に留まる機会を創出することができる。
【図面の簡単な説明】
【００１９】
【図１】本発明の実施形態の構成を示す機能ブロック図。
【図２】本発明の実施形態における処理手順を示すフローチャート。
【図３】本発明の実施形態における広告記憶手段を例示する図。
【図４】本発明の実施形態におけるユーザ記憶手段を例示する図。
【図５】本発明の実施形態における通知メールを例示する図。
【図６】本発明の実施形態における検索ログ記憶手段を例示する図。
【発明を実施するための形態】
【００２０】
以下、本発明を実施するための形態について、図に沿って説明する。
〔１．構成〕
本実施形態は、図１に示すように、コンピュータが、広告を配信する広告配信装置（以下「本装置」ともいう）１に関するもので、本装置１は、一般的なコンピュータの構成として、少なくとも、ＣＰＵなどの演算制御部５と、外部記憶装置（ＨＤＤ等）や主メモリ等の記憶装置６と、図示しない通信ネットワーク（インターネットや携帯電話網など）との通信手段７（ＬＡＮアダプタなど）と、を有する。なお、ユーザ端末Ｔ１はパーソナルコンピュータや携帯電話などであり、搭載しているウェブブラウザに本装置１から配信される広告が表示される。
【００２１】
本装置１では、記憶装置６に予め記憶（インストール）した図示しない所定のコンピュータプログラムが演算制御部５を制御することで、図１に示す各手段などの要素（１１、２１・・など）を実現する。これら各要素のうち、情報の記憶手段は、記憶装置６において各種のデータベース、ファイル、配列変数などの一時記憶、設定値など任意の形式で実現できる。また、記憶手段以外の各手段は、以下に説明する情報処理の機能・作用を実現・実行する処理手段である。
【００２２】
〔２．作用〕
上記図１のように構成した本装置１の動作手順の概要を、図２のフローチャートに示す。
【００２３】
本装置１の具体的な動作手順を説明する前に、前提として検索連動型広告の基本的な仕組みを以下より説明する。
【００２４】
ユーザがユーザ端末Ｔ１によりウェブ検索をするために検索サーバ３１にアクセスする。具体的にはユーザが検索サーバ３１にアクセスし、検索窓４１ａと検索ボタン４１ｂが表示された検索サービスのトップページ（図１の検索窓４１ａと検索ボタン４１ｂはトップページから検索結果ページ４０に遷移した後の状態を表す）の検索窓４１ａに検索キーワードＫＷ（例えば「中古車」）を入力し、検索ボタン４１ｂをカーソルでクリックする。すると、検索サーバ３１は検索キーワードＫＷを受け取り、検索キーワードＫＷに適合する検索結果４３を出力するために図示しない検索インデックスを検索して検索結果４３を生成する。
【００２５】
また、検索キーワードＫＷに連動するような広告を前記ユーザ端末Ｔ１に表示される検索結果ページ４０の広告枠４５に掲載するために、本装置１が検索サーバ３１から検索キーワードＫＷを取得し、広告枠４５に掲載するための広告を選出して、検索結果ページ４０に付加するために検索サーバ３１に受け渡す（配信する）ことで、検索サーバ３１が検索結果ページ４０を生成してユーザに配信する。
【００２６】
ここでは上述のような典型例を挙げて説明をするが、ユーザ端末Ｔ１に対して検索サーバ３１と本装置１がそれぞれ検索結果と広告を配信してもよく、コンテンツ配信の具体的態様については特に限定するものではない。
【００２７】
以下より、ユーザＩＤがＡ１２３であるユーザが検索キーワード「中古車」について検索サーバで検索をした場合に、中古車に連動する広告が選出されて検索結果ページに掲載され、掲載に漏れた広告または／および掲載されたが掲載順位が所定の順位に入らなかった広告を落選広告として、ユーザに通知する場合の実施形態について説明をする。
【００２８】
〔２−１．検索連動型広告の配信〕
まずユーザがユーザ端末Ｔ１から検索サーバ３１にログインをしてウェブ検索をする上で、ユーザＩＤ（Ａ１２３）および入力した検索キーワードＫＷを検索サーバ３１から広告配信手段１０の一機能である検索キーワード取得手段１１が取得する（ステップＳ１）。
【００２９】
次に、広告配信手段１０の一機能である選出手段１３が、ステップＳ１で取得した検索キーワードＫＷに連動する広告を選出する（ステップＳ２）。
【００３０】
選出手段１３の動作としては、図３の広告記憶手段１７に記憶されている広告ごとに割り当てられる広告ＩＤ１７０に関連付けられて記憶されている入札キーワード１７２と、入札キーワード１７２に対する入札価格１７４ａや、広告ＩＤ１７０に関連付けられて記憶されているＣＴＲ１７４ｂや、Ｉｍｐｓ１７４ｃや、クリック数１７４ｄなどの、インターネット広告の評価に活用される指標である広告成績指標値１７４の中のひとつの値に基づき、その値自体を配信指標値として、その値が上位から所定数の広告を選出してもよいし、複数組み合わせた値を配信指標値としてもよい。例えばステップＳ１で取得した検索キーワードＫＷに一致する入札キーワード１７２を持つ広告のＣＴＲ１７４ｂに入札価格１７４ａを乗じた数値、所謂ｅＣＰＭを配信指標値として計算し、配信指標値の値が高い順に広告をリスティングし、上位から優先的に配信対象の広告を選出してもよい。
【００３１】
なお、検索キーワードに一致する入札キーワードとは必ずしも完全一致だけを意味するものではなく、例えば検索キーワードの同義語なども含めてもよい。
【００３２】
ここで、配信対象の広告を選出する上で、選出の対象を検索キーワードに一致する入札キーワードを持つ広告の全てとするか、一部とするかについては運用で決定すればよい事項である。
【００３３】
例えば全てとする場合は、通常は広告枠に掲載できる広告数は検索結果ページ１ページあたりに決められているために、広告は検索結果ページ数ページに渡って掲載されることになる。広告枠に掲載できる広告数が１０で、検索キーワードに対応した入札キーワードを持つ広告が４０ある場合は、検索結果ページ４ページに渡り、配信指標値の高い順に広告枠に広告が掲載されることとなる。この場合、配信指標値の低い広告は検索結果の下位ページに掲載されることとなるため、ユーザの目に留まりにくくなる。
【００３４】
また、一部についてだけ、例えば配信指標値の上位２０位だけを選出の対象とした場合は、上述した条件の下では、検索結果ページ２ページにだけ広告が掲載されることなり、２１位以下の広告については掲載される機会がないため、ユーザの目に留まることはない。
【００３５】
次に、広告配信手段１０の一機能である配信手段１５が、ステップＳ２で選出された広告をユーザに配信する（ステップＳ３）。具体的には、選出した広告のデータを検索サーバに受け渡す。
【００３６】
〔２−２．落選広告の通知〕
次に、落選広告取得手段２１が、ステップＳ２で選出されなかった広告または／および選出されたが広告掲載順位が所定の順位に入らなかった広告を落選広告として取得する（ステップＳ４）。
【００３７】
ここで、選出されなかった広告を落選広告として取得するとは、例えば選出手段１３が配信指標値の上位２０位だけを選出の対象とした場合は、掲載される機会のない２１位以下の広告を落選広告として取得することをいう。
【００３８】
また、選出されたが広告掲載順位が所定の順位に入らなかった広告を落選広告として取得するとは、例えば所定の順位を１０位とした場合に、選出手段１３が配信指標値の高い順にリスティングした広告の１１位以降の広告を落選広告として取得することをいう。
【００３９】
ここで、落選広告取得手段２１が取得する落選広告のパターンとしては、ステップＳ２で選出されなかった広告またはステップＳ２で選出されたが広告掲載順位が所定の順位に入らなかった広告のどちらか一方でもよいし、両方であってもよい。
【００４０】
次に、落選広告抽出手段２３が、ステップＳ４で取得された落選広告から通知対象とする落選広告を抽出する（ステップＳ５）。
【００４１】
落選広告抽出手段２３の動作としては、図３の広告記憶手段１７に記憶されている広告について、落選広告取得手段２１が取得した広告を落選広告とみなして処理を行う。例えば当該落選広告ごとに割り当てられる（落選）広告ＩＤ１７０に関連付けられて記憶されている入札キーワードに対する入札価格１７４ａなどの（落選）広告成績指標値１７４に基づいてその値が上位から所定数の（落選）広告を抽出してもよいし、ｅＣＰＭを用いてもよい。なお、ｅＣＰＭを用いる場合には、ステップＳ２で計算した値をそのまま流用し、ｅＣＰＭの値が上位から所定数であるものを優先的に落選広告として抽出するようにしてもよく、ｅＣＰＭは通知指標値と考えることができる。
【００４２】
また、落選広告の抽出の基準として、上述の説明では（落選）広告成績指標値や通知指標値に基づき、上位から所定数を優先的に抽出することとしていたが、例えば通知の基準となる通知基準指標値を設定しておき、当該通知基準指標値に達していない落選広告について通知の対象として抽出するとしてもよい。
【００４３】
具体的には、（落選）広告成績指標値であるＣＴＲ１７４ｂやインプレッション数１７４ｃ、クリック数１７４ｄの所定の値を通知基準指標値として設定して、当該通知基準指標値に達していない落選広告について通知の対象として抽出するとしてもよい。ここで広告成績指標値であるＣＴＲ１７４ｂやインプレッション数１７４ｃ、クリック数１７４ｄが所定の通知基準指標値に達していないということは、所定の通知基準指標値を上回る広告に比べてその分ユーザに対する露出が少ないということに他ならない。
【００４４】
所定の値については予めシステム側で決めておいてもよいし、広告入稿時などに広告主ごとに入力してもらうようにしてもよい。広告主ごとに入力してもらう場合には、広告主が入稿した広告をどれだけ配信したいかをその値に反映させることができるために、本発明が広告主ごとの広告戦略により寄与することができる。
【００４５】
次に、落選広告通知手段２５が、ステップＳ５で抽出した通知対象とする落選広告を、ステップＳ１で取得したユーザＩＤ（Ａ１２３）に関連付けられた通知アドレスを図４のユーザ記憶手段２７に記憶されているユーザＩＤ２７０や通知アドレス２７２を参照して取得し、当該通知アドレス２７２に通知する（ステップＳ６）。
【００４６】
具体的には検索キーワード「中古車」で検索したユーザＩＤがＡ１２３のユーザに対して図５に示すような通知メール５０にて落選広告５０１を通知する。
【００４７】
〔３．効果〕
以上のように、本発明によれば、検索連動型広告において、選出されなかった広告または／および選出されたが広告掲載順位が所定の順位に入らなかった広告についても、検索結果ページの掲載面に限りがあることについて縛られることなく、ユーザの目に留まる機会を創出することができる。
【００４８】
〔４．その他の実施形態〕
【００４９】
また、落選広告抽出手段２３の動作としては、広告成績指標値１７４に加えて、検索キーワード取得回数にも基づいて落選広告を抽出してもよい。本装置１は、ユーザがユーザ端末Ｔ１から入力した検索キーワードＫＷを検索キーワード取得手段１１で取得した取得回数（ログ）をログ記憶手段３３に記憶する。落選広告抽出手段２３はログ記憶手段３３から取得回数を取得し、当該取得した取得回数に基づき通知指標値を計算して、所定数の落選広告を抽出する。
【００５０】
具体的には、広告成績指標値１７４に加えて、図６のログ記憶手段３３に記憶されている検索キーワード３３０の取得回数３３１を用いる。ここで、検索キーワード３３０とは、検索サーバ３１に対して検索要求を行ったユーザが入力した検索キーワードを検索キーワード取得手段１１が取得した検索キーワードのことであり、取得回数とは所定の期間にある検索キーワードを検索キーワード取得手段１１が取得した回数であり、図６では一日あたりの取得回数を示している。
【００５１】
図３の広告記憶手段１７に記憶されている広告ＩＤ１７０がＢ４５６の広告を例に説明をすると、入札キーワードが「中古車」であるＢ４５６は、取得回数３３１が図６では３０００回であるため、本来全ての検索結果に対して広告が掲載されているとすれば、インプレッションは３０００のはずであるが、現実には図３より１００である。ここで、通知指標値として、インプレッションを検索回数で除することで、広告それぞれの表示率を計算することが可能となる（この例の場合は表示率が約３．３パーセント）。この表示率を通知指標値として用いて、例えば表示率が所定の値よりも低い場合に落選広告として抽出するとしてもよい。なお、所定の値は上述の説明の通りシステム側で予め決めてもよいし、広告主が広告入稿時などに決定してもよい。
【００５２】
また、上述の実施形態では通知する形態として通知メール５０を例示したがこれに限るものではなく、例えばユーザごとに保有するマイページの連絡欄などに落選広告を通知してもよい。この場合、ユーザ記憶手段２７の通知アドレス２７２にはマイページのＵＲＬなどが記憶されているものとする。
【００５３】
また、上述の実施形態では、入稿された広告全てが落選広告としてユーザに通知される可能性があり、全てのユーザが落選広告を受け取るという前提で説明を行なったが、実際には広告主は自らの広告が検索連動型広告で配信されなかった場合に落選広告としてユーザに通知してもらうことを希望するか否かを広告入稿時などに有料のオプションとして設定できるようにしておけばよく、その設定を図３では通知１７０１のオン、オフで表している。
【００５４】
この場合、それぞれの広告が落選広告として通知する対象となるか否かを落選広告抽出手段２３が判定するようにすればよい。すなわち、落選広告として抽出する際にはまず、通知１７０１がオンになっているものだけを対象とする。また、ユーザ側でも、落選広告を受け取るかどうかをユーザ側で選択できるようにすればよく、その設定を図４では通知２７４のオン、オフで表している。この場合、落選広告通知手段２５が通知オンのユーザを判定し、そのユーザに対してのみ落選広告を通知する。
【００５５】
また、上述の実施形態では、リスティングについてそれぞれの指標値の高い順としたが、その逆数をとって、低い順としてもよい。
【００５６】
また、上述の実施形態では、広告成績指標値を入札価格やＣＴＲ、Ｉｍｐｓ、クリック数、ｅＣＰＭとしたが、それに限らずＣＰＣ、ＣＰＡ、ＣＶＲなどその他任意の指標を適宜用いてもよい。
【００５７】
また、上記各実施形態は例示に過ぎず、本発明は、以下に例示するものやそれ以外の他の実施態様も含むものである。例えば、本発明において、各手段などの要素は、コンピュータの演算制御部に限らず、ワイヤードロジック等に基づく電子回路や、今後登場する非ノイマン型等の情報処理機構で実現してもよい。また、各構成図、データの図、フローチャートの図などは例示に過ぎず、各要素の有無、その順序や具体的内容などは適宜変更可能である。
【００５８】
例えば、図１の装置構成は一例に過ぎず、実際の構成としては、個々の手段（例えばデータベースなどの記憶手段）を別々のサーバ装置で実現するなど、複数のサーバ装置で全体のシステムを実現してもよいし、ユーザ端末Ｔを含めて本発明のシステムの一部として把握するなど、構成は柔軟に変更することができる。また、ＡＰＩ（アプリケーション・プログラム・インタフェース）やネットワークコンピューティングなどで外部のプラットフォームその他を呼び出すことにより、一部の機能を実現してもよい。
【符号の説明】
【００５９】
Ｔ１  ユーザ端末装置
１  広告配信装置
５  演算制御部
６  記憶装置
７  通信手段
１０  広告配信手段
１１  検索キーワード取得手段
１３  選出手段
１５  配信手段
１７  広告記憶手段
２１  落選広告取得手段
２３  落選広告抽出手段
２５  落選広告通知手段
２７  ユーザ記憶手段
３１  検索サーバ
３３  検索ログ記憶手段
ＫＷ  検索キーワード
４０  検索結果ページ
４１ａ  検索窓
４１ｂ  検索ボタン
４３  検索結果
４５  広告枠
５０  通知メール
【図１】
2012063803.tif 000003
【図２】
2012063803.tif 000004
【図３】
2012063803.tif 000005
【図４】
2012063803.tif 000006
【図５】
2012063803.tif 000007
【図６】
2012063803.tif 000008